(57)【要約】【課題】湿害による病気の発生を防止でき、装置を簡易なものとし、さらに廃棄物を軽減することのできる水耕栽培技術を提供することにある。【解決手段】内部が水または養液の流路となる樋状容器と、この樋状容器の長手方向に沿ってこの樋状容器の上側に設けられて二槽構造を形成し植物を保持する保持容器２と、を備えた水耕栽培装置であって、保持容器２は、植物を保持するための凹部を有する容器本体２ａと、この容器本体２ａの底部２ｂに形成され植物の根を下方に通すための開口部としての孔部２ｃと、容器本体２ａの凹部に設けられ種子または植物を保持するための保持材である不織布２ｄと、容器本体２ａおよび保持材２ｄに付着した水または養液を下方へ流すための水切り手段と、を備えている。水切り手段は、容器本体２ａの下部を下方に傾斜させて形成したテーパ部２ｆであり、容器本体２ａの下部はほぼ断面Ｖ字状に形成されている。【選択図】図２
2007151543.tif 000002
【特許請求の範囲】
【請求項１】
内部が水または養液の流路となる樋状容器と、該樋状容器の長手方向に沿って該樋状容器の上側に設けられて二槽構造を形成し植物を保持する保持容器と、を備えた水耕栽培装置であって、
前記保持容器は、
植物を保持する凹部、および前記凹部の底部に形成され植物の根を下方に通す開口部を備える容器本体と、
前記凹部に配置され、種子または植物を保持するとともに根が貫通可能な部材よりなる保持材と、
前記容器本体および前記保持材に付着した水または養液を下方へ流す水切り手段と、を備えていることを特徴とする水耕栽培装置。
【請求項２】
前記水切り手段は、垂直断面が下細り形状となるように前記容器本体の下部を傾斜させたテーパ部である請求項１記載の水耕栽培装置。
【請求項３】
前記底部は、前記テーパ部から連続して形成された平坦面をなし、該平坦面には、前記開口部として一直線上に複数の孔部が形成され、
前記保持材は、前記孔部と略同幅または同幅以下の大きさを有し、前記平坦面上に設けられるものである請求項２記載の水耕栽培装置。
【請求項４】
前記保持材を載置するものであり、前記保持材から下方に延びる根を通す網状部または開口部を有する支持部材を備え、
該支持部材は、前記テーパ部に掛け渡し可能な幅を有する請求項２記載の水耕栽培装置。
【請求項５】
さらに前記支持容器は、前記容器本体の上端部に形成され前記樋状容器の上端部に載置するための鍔部を備えている請求項１から４のいずれかの項に記載の水耕栽培装置。
【請求項６】
前記鍔部には、前記支持容器どうしを連結する係止部材が設けられている請求項５記載の水耕栽培装置。
【請求項７】
前記鍔部の下端部と前記樋状容器の上端部の少なくとも一方には突起が形成されている請求項５または６記載の水耕栽培装置。
【請求項８】
植物を保持する保持容器の底部に設けられた孔部の上に種子または植物を保持するための保持材を設けて、該保持材上に種子を播く播種工程と、
種子の発芽および発根を促し植物を所定の大きさに生長させる育苗工程と、
内部が水または養液の流路となる樋状容器の上に前記保持容器を設けて二槽構造とする装置形成工程と、
を有することを特徴とする水耕栽培方法。
【請求項９】
種子または植物を保持するための保持材を、該保持材に播種された植物の根を通す網状部または開口部を有する支持部材上に載置し、該保持材上に種子を播く播種工程と、
種子の発芽および発根を促し植物を所定の大きさに生長させる育苗工程と、
植物を保持する保持容器の下部に形成されたテーパ部に前記支持部材を掛け渡し、前記支持部材から下方に延びる根を前記保持容器の底部に形成された開口部から下方に通した状態で、内部が水または養液の流路となる樋状容器の上に前記保持容器を設けて二槽構造とする装置形成工程と、
を有することを特徴とする水耕栽培方法。
【発明の詳細な説明】
【技術分野】
【０００１】
本発明は、野菜の水耕栽培技術に関し、より詳しくは、ＮＦＴによる二槽構造の水耕栽培技術に関する。
【背景技術】
【０００２】
近年、農産物の高品質化、省労力化を図ることを目的として、養液栽培が普及している。養液栽培方法とは、土壤を用いずに固形状の培地や水中に根系を形成させ、植物の生育に必要な栄養分を植物に応じた成分組成や濃度をもつ培養液によって与え、根には適度の酸素供給を行って野菜を栽培する方法である。従来の養液栽培方法としては、代表的なものとして、湛液型循環式水耕、ＮＦＴ、及び、ロックウール耕、礫耕、砂耕などの固型培地耕等が知られており、これらを組み合わせた方法も知られている。
【０００３】
ここで、湛液型循環式水耕とは、ベッド内に一定の水位で培養液を湛液（保持）し、タンクとベッド間又はベッド間相互で培養液を強制循環させることにより、ベッドに植栽された植物の水耕栽培を行う方法である。この方法では、根への酸素補給をいかに効果的に行うかが課題となり、その酸素補給方法についても種々の方法が考案されている。湛液型循環式水耕による栽培技術として、例えば特許文献１に記載の水耕栽培装置がある。
【０００４】
特許文献１に記載の水耕栽培装置は、不透水性の上面開放の液槽と、培地槽とにより二槽構造としている。液槽は適当容量の容器で底面に冨養物を沈積して養液を貯水したものであり、液槽と培地槽との間には空間が設けられている。また、培地槽は底面を通気通水性の網状または多孔板で構成され、内部にスポンジ、砂質、礫質、粘土質、繊維質等またはそれ等をミックスした培地を入れて形成されている。以上のような構成とすることにより、空気中の酸素を取り入れて根腐れを防止することができるとしている。
【０００５】
また、ＮＦＴ（Ｎｕｔｒｉｅｎｔ  Ｆｉｌｍ  Ｔｅｃｈｎｉｑｕｅ）とは、ゆるく傾斜した水路（樋）状のベッドの上に、養液を薄い膜状にして掛け流す水耕栽培をいい、上方から断続的に水あるいは水耕液を少量ずつ流下させ、流下した培養液をタンクに戻して培養液を循環させる方式である。この方式によれば、根の上方が空気に直接触れるため根への酸素供給が十分に行われ、また、水路内の液深が浅いために装置自体が軽くなって高設化でき、さらに、容易に高設化できるため小さい作物（葉菜類等）での作業姿勢が改善され労働効率を向上させることができる。ＮＦＴによる水耕栽培技術として、例えば特許文献２が知られている。
【０００６】
特許文献２には、培養液の流路を形成する樋状容器と、この樋状容器内に設置されて植物を保持する植物保持手段（植物保持板）を備え、この植物保持手段は、流路内に配置された高さ調整部材によって培養液の上方に持ち上げられている植物栽培装置が記載されている。このような植物栽培装置とすることにより、培地を使用せずに栽培できるとともに、播種直後の種子や伸び出た芽が流路内に流れる培養液に沈むことなく植物を栽培できるとしている。
【０００７】
一方、特許文献３には、簡易な水耕栽培として、不織布を用いたかいわれ蕎麦の生産方法が記載されている。この方法は、不織布上で蕎麦の種子を発芽させた後、遮光下での水耕栽培により茎部および根部を伸長させ、子葉が展開した幼苗を根部を切り取らずにかいわれ蕎麦として収穫する方法である。
【０００８】
【特許文献１】特開平８−２８９６８２号公報
【特許文献２】特開平１０−１７４５２１号公報
【特許文献３】特開平１０−２８４７９号公報
【発明の開示】
【発明が解決しようとする課題】
【０００９】
特許文献１に記載の水耕栽培装置は、ＮＦＴ（掛け流し式）でないため、養液中の養分量や養分濃度を調節することが難しい。また、空間を形成するために、湛液量を調整しなければならず、培地から給液を必要とし装置が複雑化し、調整の加減も手間であると思われる。また、固形培地を使用して植物体を支持するため、培地によっては病気が発生したり、栽培終了後はこの固形培地が大量の廃棄物になるためそれを処理したりするという問題がある。さらに、培地の底面が幅広の平坦状となっているため、根が広範囲に渡って下方に出ており、収穫時には根の処理を行うのに手間がかかる。
【００１０】
特許文献２に記載の植物栽培装置は、固形培地を使用していないため、前述の廃棄物の処理問題は軽減されるが、種子の発芽からの育苗管理が必要となる。すなわち、二槽構造で栽培するには、育苗時期にある苗の根が短い間は根が樋状容器の底部に到達しないため、高さ調節部材に保水材を設けて種子や苗に水や養液を供給している。しかしながら、育苗時期においては、水や養液を供給する設備や用具を別途設けるため植物栽培装置の複雑化を招くこととなる。さらに、植物が生長するにつれ高さ保持部材が根にとって邪魔となり生育に支障をきたすと考えられる。
【００１１】
また、高さ調節部材に保水材を設けていることから、植物の根は常に保水材に密着した状態であるため、湿害となって病気が発生する恐れがある。さらに、植物保持手段（植物保持板）上に水が付着した場合には孔に蓄積されやすく、湿害となって病気が発生しやすい状況であると推察される。また、保水材は樋状容器から植物保持板に渡りその高さの約２倍分の面積となるように設けられており、その使用量が多く、栽培終了後には保水材は廃棄物となる問題もある。
【００１２】
特許文献３に記載のかいわれ蕎麦の生産方法は、土壌代替え担持体として不織布を使用した簡易な水耕栽培方法であるが、栽培期間として数日程度しか必要としないかいわれを栽培の対象としており、ＮＦＴによる栽培ではない。生育期間として長期間を必要とする他の植物を栽培すると、根の酸素不足が起こったり、湿害による病害が発生したりするなど、根圏環境が不良となる。
【００１３】
本発明が解決しようとする課題は、ＮＦＴによる栽培装置を簡易化するとともに、湿害による病気の発生を抑制することができる水耕栽培技術を提供することにある。
【課題を解決するための手段】
【００１４】
本発明の水耕栽培装置は、内部が水または養液の流路となる樋状容器と、この樋状容器の長手方向に沿ってこの樋状容器の上側に設けられて二槽構造を形成し植物を保持する保持容器と、を備えた水耕栽培装置であって、保持容器は、植物を保持する凹部、および凹部の底部に形成され植物の根を下方に通す開口部を備える容器本体と、凹部に配置され、種子または植物を保持するとともに根が貫通可能な部材よりなる保持材と、容器本体および保持材に付着した水または養液を下方へ流す水切り手段と、を備えていることを特徴とする。
【００１５】
上記のような構成とすることにより、播種時段階から種子を保持材に播種して保持容器に保持させることができ、簡易な装置で二槽構造を形成して栽培することができる。また、水切り手段を設けたことにより、株元付近の湿度が高まることを防止することができ、湿害による植物の病害を防止することができる。また、二槽構造を形成してＮＦＴにより栽培しているため、根への酸素供給を十分なものとしながら植物の生育に応じた肥培管理が可能となるため、植物を長期栽培することができる。
【００１６】
ここで、水切り手段は、垂直断面が下細り形状となるように容器本体の下部を傾斜させたテーパ部であることを特徴とする。
【００１７】
本発明者は、植物をＮＦＴで水耕栽培しているときに、水や養液が毛管現象により根を伝って開口部から保持容器内に入り込むことがあることに気付き、このことが植物の株元付近の湿度を高めて、病気の発生要因となると考えた。そこで、病気の発生を農薬に頼らず抑制するために鋭意研究を行った結果、容器の形状を工夫することによりその解決策を見出した。すなわち、付着した水または養液を下方へ流すための水切り手段を前記の構成としたことにより、水や養液をテーパ部に沿って下方に移動させて開口部から追い出しやすくなり、所謂水切りを行いやすくすることができる。これにより、保持材および植物の株元の水分を低減あるいは乾燥した状態とすることができ、湿害による病気の発生を防止することができる。また、植物の上方から散水した場合においても水切りが行いやすく、前述と同様な効果を得ることができる。
【００１８】
また、容器本体の下方を断面尖状または断面Ｖ字状に形成すると、板状、皿状、半球面状等の形状に比べて深い容器とすることができ、樋状容器の底面と容器本体の底部との距離を近いものとすることができる。これにより、育苗後の根が短い状態であっても、根の先端部を養液に浸すことが可能となり、植物が比較的小さい時期から二槽構造を形成して水耕栽培を行うことができる。
【００１９】
また、容器本体の底部を、テーパ部から連続して形成した平坦面とし、この平坦面に、開口部として一直線上に複数の孔部を形成し、保持材を、孔部と略同幅または同幅以下の大きさに形成して平坦面上に設ける構成としても良い。
このような構成とすれば、平坦面とテーパ部とにより植物を好適に保持することができ、植物の根を孔部から下方に容易に通すことができる。なお、平坦面の幅を孔部と略同幅または同幅以下として平坦面の幅を小さくすることが望ましく、断面がほぼ尖状またはほぼＶ字状となって、テーパ部に付着した水または養液の水切りを容易に行うことができる。ここで、平坦面の幅が、孔部よりもわずかに大きい程度であれば大きな問題ないが、孔部よりも極端に大きくなると、テーパ部に付着した水滴と孔部との距離が大きくなり、平坦面に水また養液が滞ってしまい、水切りを好適に行うことができない。
【００２０】
ここで孔部について説明する。本発明においては、ベビーリーフ（野菜）と称される葉菜類を主な対象植物としており、孔部の径または幅を５ｍｍ以上２０ｍｍ以下とすることが望ましく、より好ましくは８ｍｍ以上１５ｍｍ以下である。この範囲内の径または幅であれば、ベビーリーフの根が容易に孔部を通過して好適に生育させることができる。孔部の径または幅を５ｍｍ未満とすると、ベビーリーフの根の径がそれ以上太くならないため、生長に支障をきたす。孔部の径または幅が２０ｍｍを越えると、孔部と根との間の隙間が大きくなって、植物を良好に支持することができない。従って、上記の孔部の大きさに応じた平坦面の幅とすることが望ましい。
【００２１】
なお、ベビーリーフの種類として、サンチュ、ミズナ、ターサイ、レッドマスタード、ルッコラ、デトロイト、レッドキャベツ等が挙げられる。また、本発明においては、ベビーリーフ以外にもホウレンソウやコマツナ等の葉菜類全般において栽培可能であるが、対象とする野菜によって好適な孔部の径または幅が異なると考えられる。このような野菜に対しては孔部の径または幅は適宜設計変更しても良く、この孔部の大きさに応じて平坦面を形成することができる。
【００２２】
また、保持材を繊維材や発泡樹脂材で構成するとよく、繊維材や発泡樹脂材上に播種すれば簡素な構造で種子を支持できるとともに、播種時の水分保持材としても機能する。また、発根後は根を、繊維材や発泡樹脂材を貫通させて孔部から下方へ通過させることができるため、前述のように、保持容器を樋状容器に設置して簡素な水耕栽培装置とすることができる。
ここで繊維材としては、不織布が望ましいが、根が貫通するものであれば他の繊維質の素材を使用しても良く、使用後に堆肥化して肥料として使用できる材質のものが良い。また、発泡樹脂材としては、ポリウレタンなどの樹脂を発泡させてスポンジ状にしたものを用いるとよい。
【００２３】
また、保持材を孔部と略同幅または同幅以下とすることにより、平坦面と保持材とが略同幅または同幅以下ともなり、保持材を平坦面に載置するだけでよく、しかも側方にはテーパ部が形成されているため横に大きくずれることがない。さらに、保持材の使用量を必要最低限とすることができ、使用量を少なくすると保持材を乾燥させやすくなって湿害を防止できるとともに、使用後の廃棄物量を軽減することができる。さらに孔部を一直線上に形成したことにより、植物はほぼ一直線上に栽培されるため、収穫時期においては根を切断しやすくなるとともに、地上部を容易に収穫することができ、作業効率を高めることができる。
【００２４】
また、保持材から下方に延びる根を通す網状部または開口部を有するとともにテーパ部に掛け渡し可能な幅に形成された支持部材上に保持材を載置し、この支持部材を、容器本体のテーパ部に掛け渡す構成としてもよい。
このような構成とすれば、さらに、植物の株元の水分を低減あるいは乾燥しやすい状態とするとともに、テーパ部に沿って流れ落ちる余分な水や溶液が保持材に付着することを防止することができ、湿害による病気の発生を防止することができる。
【００２５】
さらに、保持容器は、容器本体の上端部に形成され樋状容器の上端部に載置するための鍔部を備えることにより、保持容器を樋状容器に載せるだけで二槽構造を容易に形成することができる。
【００２６】
また、鍔部に、保持容器どうしを連結する係止部材を設ければ、保持容器を樋状容器の長手方向に連結して長く形成することができる。これにより、長い樋状容器上において一度に複数の保持容器を長手方向にスライドすることが可能となり、栽培管理や収穫作業において作業者の移動距離を軽減することができ、労力が軽減される。
【００２７】
ここで、鍔部の下端部と樋状容器の上端部の少なくとも一方に、突起を形成すれば、鍔部と樋状容器の上端部との接触面積が小さくなり水や養液で密着することを防止することができ、保持容器を樋状容器から容易に外したり、保持容器を樋状容器上で容易にスライドさせたりすることができる。従って、栽培管理中或いは収穫時の作業効率を高めることができる。
【００２８】
本発明の水耕栽培方法は、植物を保持する保持容器の底部に設けられた孔部の上に種子または植物を保持するための保持材を設けてこの保持材上に種子を播く播種工程と、種子の発芽および発根を促し植物を所定の大きさに生長させる育苗工程と、内部が水または養液の流路となる樋状容器の上に保持容器を設けて二槽構造とする装置形成工程と、を有することを特徴とする。
【００２９】
上記のような構成としたことにより、播種時段階から種子を保持材に播種して保持容器に保持させることができ、装置を簡易なものとしながらも、植物が比較的小さい時期から二槽構造で栽培することができる。
【００３０】
また、本発明の水耕栽培方法は、種子または植物を保持するための保持材を、保持材に播種された植物の根を通す網状部または開口部を有する支持部材上に載置し、保持材上に種子を播く播種工程と、種子の発芽および発根を促し植物を所定の大きさに生長させる育苗工程と、植物を保持する保持容器の下部に形成されたテーパ部に支持部材を掛け渡し、支持部材から下方に延びる根を保持容器の底部に形成された開口部から下方に通した状態で、内部が水または養液の流路となる樋状容器の上に保持容器を設けて二槽構造とする装置形成工程と、を有することを特徴とする。
【００３１】
上記のような構成としたことにより、保持材上に播種した種子が発芽および発根して、植物が所定の大きさになるまで保持材を支持部材上に載置しただけの状態で育苗し、植物が所定の大きさになった状態で支持部材を容器本体に配置して二槽構造で栽培することができる。このように本発明によれば、育苗段階と、装置形成後の栽培段階とを分けて管理することで、栽培に要する空間の効率化を図ることができ、一定の栽培容積における収穫量を増大させることができる。
【発明の効果】
【００３２】
本発明の最大の特徴は、内部が水または養液の流路となる樋状容器と、二槽構造を形成し植物を保持する保持容器と、を備えた水耕栽培装置であって、保持容器は、植物を保持する凹部、および凹部の底部に形成され植物の根を下方に通す開口部を備える容器本体と、凹部に配置され、種子または植物を保持するとともに根が貫通可能な部材よりなる保持材と、容器本体および保持材に付着した水または養液を下方へ流すための水切り手段と、を備えていることである。
【００３３】
このような構成としたことにより、装置を簡易で二槽構造を形成して栽培することができる。また、水切り手段を設けたことにより、株元付近の湿度が高まることを防止することができ、湿害による植物の病害を防止することができる。
【発明を実施するための最良の形態】
【００３４】
以下、図面に基づいて本発明の実施形態について説明する。図１は本発明の第１の実施形態である水耕栽培装置を示す概要図である。
水耕栽培装置１０は、ＮＦＴにより水耕栽培される装置であり、内部が水または養液（以下、養液等６）の流路となる樹脂製の樋状容器１と、この樋状容器１の長手方向に沿って樋状容器１の上側に設けられ植物を保持するための樹脂製の保持容器２と、これらを載置するための支持架台４とを備えている。樋状容器１と保持容器２とにより二槽構造の栽培槽３が形成され、この栽培槽３が支持架台４に複数並列配置されて水耕栽培装置１０が構成されている。保持容器２内にはベビーリーフ等の植物１１が栽培されている。
なお、支持架台４は、下から空気の移動があるように網で面状に形成したり、パイプを組み立てて形成したりしている。
【００３５】
樋状容器１内には、この樋状容器１の端部に設けられた潅水チューブ５ａ，５ｂにより、水または養液（養液等６）が連続的または断続的に潅注される。ここで、例えば、潅水チューブ５ａを養液用とし、潅水チューブ５ｂを水用とすれば、選択的に切り替えて水または養液を流すことができる。また、養液等６が樋状容器１の底部１ａを流れるように、樋状容器１は、養液等６を潅注する側から流す方へ向けて傾斜させて設置されている。保持容器２で栽培される植物１１は、根１１ｂが保持容器２から下方へ伸長して底部１ａに達して養液等６の養水分を吸収し、地上部１１ａが保持容器２内で支持され生長する。
【００３６】
次に、保持容器２について説明する。図２は保持容器２を示す図であり、（ａ）は斜視図、（ｂ）は正面図、（ｃ）は側面図である。
保持容器２は、植物を支持するための凹部を有する容器本体２ａと、この容器本体２ａの底部２ｂに形成され植物１１の根１１ｂを下方に通すための孔部２ｃと、孔部２ｃの上に設けられ種子（図示せず）または植物１１を保持するための保持材としての繊維材である不織布２ｄと、容器本体２ａの上端部に形成され樋状容器１の上端部１ｂ（図３参照）に載置するための面状の鍔部２ｅと、を有している。
【００３７】
また、容器本体２ａの側部から下部にかけては、下方に傾斜させて形成した傾斜面であるテーパ部２ｆが形成されており、容器本体２ａは、テーパ部２ｆによりほぼ断面Ｖ字状に形成されている。ここで、容器本体２ａの底部２ｂはテーパ部２ｆから連続して形成された平坦面であり、この平坦面に孔部２ｃがほぼ一直線上に形成されている。底部２ｂ（平坦面）の幅は孔部２ｃと略同幅または同幅以下となるように形成されており、不織布２ｄは、孔部２ｃと略同幅または同幅以下となるように形成されている。
【００３８】
テーパ部２ｆは、容器本体２ａおよび不織布２ｄに付着した養液等を孔部２ｃから下方へ流すための水切り手段として機能する。ここで、容器本体２ａの下部は、テーパ部２ｆによりほぼ断面Ｖ字状に形成されているが、下方へ水を流せるように尖ったような形状、すなわちほぼ断面尖状としても良い。なお、容器本体２ａの形状は上記に限定されることはなく、容器本体２ａの下部がテーパ状で尖状に形成してあれば他の形状とすることもできる。
【００３９】
ここで、保持容器２の寸法について説明する。保持容器２は平面視矩形状であり、保持容器２の長手方向Ａの長さは約５０ｃｍ、幅方向Ｂの長さは約１３ｃｍである。また、保持容器２の深さＣは約５ｃｍであり、底部２ｂ，孔部２ｃ，不織布２ｄの幅Ｄの長さは約１．５ｃｍである。保持容器２の鍔部２ｅは、保持容器２の長手方向Ａおよび幅方向Ｂに、すなわち保持容器２の上端全周に渡って形成されており、鍔部２ｅ幅Ｅの長さは樋状容器１の上端部１ｂ（図３参照）に載置できる程度であれば足り、約１ｃｍとしている。なお、これらの長さは、植物の栽培目的に応じて適宜設計変更できるものである。さらに、孔部２ｃの形状は円形としているが、さらに根が貫通しやすくなるように長円形や溝状としても良い。
【００４０】
なお、不織布２ｄは、栽培初期において種子および発根した直後の植物（苗）を支持させるために機能するものであり、植物がある程度大きくなって孔部２ｃから落ちない程度の大きさとなれば不要となる。また、栽培期間中の植物の株元の加湿を防ぎ、且つ栽培終了後の廃棄物を減少させる観点から、不織布２ｄの幅は、種子および苗を支持できる程度の幅であれば、孔部２ｃの幅よりも小さい方がより好ましい。
【００４１】
また、鍔部２ｅの長手方向Ａの一方の端部且つ幅方向Ｂの両端部には、それぞれ突起２ｇが形成されており、この突起２ｇを引っ掛けることにより係止可能な孔部２ｈが、鍔部２ｅの長手方向Ａの他方の端部且つ幅方向Ｂの両端部にそれぞれ形成されている。これらの突起２ｇおよび孔部２ｈは、保持容器２どうしを連結するための係止部材として機能する。
【００４２】
さらに、面状の鍔部２ｅの下端部（下面）に、この鍔部２ｅと樋状容器１の上端部１ｂとの接触面積を小さくするための突起２ｊを形成している。これにより、鍔部２ｅと樋状容器１の上端部１ｂとが養液等６で密着することを防止することができ、保持容器２を樋状容器１から容易に外したり、保持容器２を樋状容器１上で容易にスライドさせたりすることができる。また、本実施形態においては、この突起２ｊを曲線で波状に形成しているため、保持容器２をスライドする際に、樋状容器１の上端部１ｂに蓄積した水を除去することができ、スライド時の抵抗を小さくすることができ、さらに容易にスライドすることが可能となる。なお、突起２ｊは樋状容器１の上端部１ｂにも設けても良く、さらに鍔部２ｅと樋状容器１の上端部１ｂの両方に設けても良い。また、突起２ｊの形状は波状に限定されるものではなく、鍔部２ｅと樋状容器１の上端部１ｂとの接触面積が小さくなるような形状であれば、直線状や点状や等の他の形状とすることもできる。
【００４３】
次に、図３〜図５を用いて本実施の形態における水耕栽培方法について工程ごとに説明する。図３は育苗直後の栽培中であることを示す栽培槽３の断面側面図、図４は収穫前の植物を栽培中であることを示す栽培槽３の断面側面図であり、図５は収穫時に保持容器２を持ち上げた状況を示す図であり、（ａ）は側面図、（ｂ）は正面図である。
【００４４】
（１）播種工程
保持容器２の底部２ｂおよび孔部２ｃの上にこれらと略同幅の不織布２ｄを載置し、この不織布２ｄ上に植物１１の種子を撒く（図示せず）。植物１１はベビーリーフであり、この種類は単一のものでも良いが、要望に応じて複数種を混在させて播種することもできる。種子の大きさは径が約１ｍｍであり、１０〜２０粒／ｃｍ2程度の密度となるように筋状に播種する。このとき、孔部２ｃの真上となるように不織布２ｄに播種すれば、発根後の根１１ｂは不織布２ｄおよび孔部２ｃをスムーズに貫通して真直ぐ下方に伸びるが、底部２ｂの真上となるように不織布２ｄに播種しても、発根後の根１１ｂを底部２ｂを伝って孔部２ｃから下方に伸ばすことができる。ここで、不織布２ｄの幅は平坦に形成された底部２ｂと略同幅であるため、不織布２ｄを底部２ｂに載置するだけでよく、しかも側方にはテーパ部２ｆが形成されているため横に大きくずれることがなく、さらに不織布２ｄの使用量を必要最低限とすることができる。
【００４５】
（２）育苗工程
種子を有したまま保持容器２を複数段に間隔を置いて重ね、恒温高湿室である発芽庫に入れる。発芽に最適な温度と湿度環境として発芽および発根を促し、約３日程度かけて植物が所定の大きさになるまで生長させる。種子から発根すると、根は、不織布２ｄに繊維の隙間に進入することとなって苗が不織布２ｄに支持され、不織布２ｄはこの育苗期間においては培地として機能し、播種時段階から種子を保持容器２に支持させることができる。また、播種時に不織布２ｄに水を含ませておけば、発芽庫の中では水分保持材としても機能し、潅水の必要はない。根の生育が進むに連れ、根は不織布２ｄを貫通し、前述のように底部２ｂから下方に伸びる。ここで、根の長さを約２ｃｍ以上になるまで育苗する。
【００４６】
（３）装置形成工程
育苗工程により植物１１が所定の大きさに達すると、樋状容器１の上に植物１１が栽培されている保持容器２を設けて、図３に示すように二槽構造とするが、樋状容器１の上端部１ｂに、保持容器２の鍔部２ｅを載せるだけで二槽構造を容易に形成することができる。二槽構造とする際には、鍔部２ｅに形成された孔部２ｈに突起２ｇを嵌合し、保持容器２どうしを連結し、これを複数行って、樋状容器１の長手方向に渡って保持容器２を連結する。
【００４７】
このように二槽構造とすると、保持容器２の底部２ｂと樋状容器１の底部１ａとの距離Ｆは、約２ｃｍとなる。従って、植物１１の根１１ｂの長さが２ｃｍ以上であるため、根１１ｂの先端部付近は、ＮＦＴによる養液等６に浸されることなり、養水分を吸収して生長を継続することができる。また、根１１ｂへの酸素供給を十分なものとしながら植物１１の生育に応じた肥培管理が可能となる。以上のように、保持容器２を樋状容器１に設置して容易に栽培槽３を構成し、装置を簡易なものとすることができる。
【００４８】
また、容器本体２ａの下方の形状はほぼ断面Ｖ字状に形成されているため、板状、皿状、半球面状等の形状に比べて深い容器となり、樋状容器１の深さが一定の場合において距離Ｆを小さくすることができる。このため、育苗後の根１１ｂが短い状態であっても、前述のように根１１ｂの先端部を養液等６に浸すことが可能となり、植物が比較的小さい時期から二槽構造を形成して水耕栽培を行うことができる。なお、距離Ｆは植物により適宜設計変更しても良いが、距離を５ｃｍ以上とすると、栽培初期の根が養液に浸らなくなり好ましくない。
【００４９】
ここで、距離Ｆは、１．５ｃｍ以上３ｃｍ以下であることが望ましく、この範囲であれば、養液等６の水深は約５ｍｍ程度となり、根１１ｂを適度に養液等６に浸らせて、且つ、円滑に養液等６を樋状容器１内で流すことができるため、植物１１を好適に生育させることができる。
距離Ｆを１．５ｃｍ未満とすると、根１１ｂが大きくになるに連れて、根１１ｂと樋状容器１の底部１ａとの接触面積が増大することとなる。これにより、養液等６が根１１ｂに堰き止められて樋状容器１の中を流れにくくなり、樋状容器１の上流側と下流側との間で植物１１の生育の差が生じ、生育が不安定になるという問題が生じる。
距離Ｆが３ｃｍを越えると、栽培初期の根１１ｂが養液等６に浸らなくなるため、根１１ｂが３ｃｍ以上になるまで保持容器２で育苗する必要がある。これにより、育苗期間が長期化して苗の栄養状態が悪くなったり、栄養分を補給するなど管理上の手間がかかったりするという問題が生じる。
【００５０】
（４）栽培工程
装置形成工程後は、植物１１は日増しに生長を続けて図１に示すように生長する。ここで、生育途中にある状況について詳細に説明する。図４に示すように、植物１１の地上部１１ａは、保持容器２の深さ以上の高さにまで大きくなり、根１１ｂも樋状容器１の底部１ａの広範囲に渡る。ここで、植物１１の栽培を継続して繁茂した状態になると、養液等６が毛管現象により根１１ｂの上方に伝って孔部２ｃから保持容器２内に入り込み、不織布２ｄや底部２ｂが濡れ、このように保持容器２内に進入した養液等６は、植物１１の株元付近の湿度を高めることとなる。
【００５１】
しかし本実施の形態においては、テーパ部２ｆを形成しているため、付着した養液等６をテーパ部２ｆに沿って下方に移動させて孔部２ｃから追い出しやすくなり、所謂水切りが可能となる。従って、不織布２ｄおよび植物１１の株元の水分を低減あるいは乾燥した状態とすることができ、湿害による病気の発生を防止することができる。また、害虫の発生防止のために植物の上方から散水した場合や、万が一農薬を散布した場合においても水切りが行いやすい。また、植物１１は、生長して繁茂すると、保持容器２の幅方向に広がってくるが、容器本体２ａにテーパ部２ｆを設けため、これが植物１１を好適に支持することができる。さらに、前述のように不織布２ｄの使用量を必要最小量としたことから、この不織布２ｄを乾燥させやすくなって湿害を防止できるとともに、使用後の廃棄物量を軽減することができる。
【００５２】
（５）収穫工程
前述したように、保持容器２の孔部２ｃは一列に形成されており、植物１１は一直線上に栽培された状態となっている。従って、収穫時において、図４に示す収穫時期を迎えた状態の保持容器２を持ち上げると、図５に示すように、根１１ｂが下方に突出した状態となる。作業者は、この根１１ｂを架台上に置き、例えばピアノ線等で容易に引きちぎったりナイフで切ったりすることができ、地上部１１ａを素早く回収して収穫することができる。なお、手でも容易に引きちぎって収穫することもできる。ここで、保持容器２を突起２ｇと孔部２ｈとの係止により、長手方向に複数連結しているため、樋状容器１の長手方向の一方の端部にいる作業者が、樋状容器１上において保持容器２を長手方向にスライドさせると、連結された保持容器２が全体的に作業者の方に移動する。突起２ｇと孔部２ｈとの係止を解除して１番手前にある保持容器２を作業者の前におき、植物１１収穫した後、次の保持容器２を作業者側にスライドさせれば、この保持容器２に連結されている３番目以降の保持容器２も全体的に作業者の方に移動する。２番目の保持容器２から植物１１を収穫した後、再度同じ動作を繰り返すことで、作業者は同じ場所に立った状態で、樋状容器１の長手方向に複数載置された保持容器２からすべて植物１１を収穫することができる。このように、収穫時においては、作業者の移動量を軽減することができ、作業効率を高めることができる。
【００５３】
なお、収穫直前においては、植物１１の体内の硝酸濃度を軽減することが、これを食する消費者にとって望ましいことである。そこで、図６を用いて硝酸濃度を軽減する方法について説明する。図６は樋状容器１から排出される液を回収することを示す図である。なお、図６においては説明を簡単にするために保持容器２を省略している。
栽培中においては養液等を樋状容器１に掛け流して、流した後は再度樋状容器１を循環させているが、収穫直前においては、除々に水の頻度を高めて、養液を施用する頻度を減らすかゼロにする。このとき、水または養液によって、廃液を流す樋を変更している。すなわち、支持架台４に並列させてある樋状容器１の位置を、養液を循環させる場合には位置１Ａとすると、養液は矢印２３のように樋２１上に落ちて、矢印２５の方向へ流すことができる。一方、水を循環させる場合には樋状容器１の位置をずらして位置１Ｂとすると、養液は矢印２４に示すように樋２２上に落ちて、矢印２６の方向へ流すことができる。このように、樋状容器１から排出される液の流れを２系統とすることにより、水のみを掛け流せば植物１１の体内の硝酸濃度を低くすることができるとともに、養液のみを掛け流す場合には養液のみを回収できるため、回収した養液の処分が容易となる。
【００５４】
（６）袋詰工程
以上のように収穫した植物１１の地上部１１ａを、そのままの状態、または残存する根１１ｂや不織布２ｄを除去してビニル袋に詰める。このとき、地上部１１ａは、複数種類栽培されていれば複数種類が詰められている。そして市場に出荷され消費者の元へと流通する。一方、消費者は、複数種類の野菜が入ったベビーリーフを手軽においしく食することができる。
【００５５】
次に、図７を用いて本発明の第２の実施形態について説明する。図７は、本発明の第２の実施形態における保持容器３２を示す側面図である。ここで、図７において、容器本体３２ａ以外は第１の実施形態の保持容器２および水耕栽培装置１０と同一であり、同一の符号を付しているため、説明を省略する。
図７に示すように、容器本体３２ａは、鍔部２ｅから垂下して形成した側壁３２ｉと、この側壁３２ｉから連続して下方に傾斜させて形成したテーパ部２ｆと、を有しており、容器本体３２ａの下部は、このテーパ部２ｆによりほぼ断面Ｖ字状に形成されている。側壁３２ｉを設けたことにより、さらに深い凹部を有した保持容器３２とすることができ、栽培する植物の種類によってはさらに安定して栽培することが可能となる。
【００５６】
次に、図８を用いて本発明の第３の実施形態について説明する。図８は本発明の第３の実施形態における保持容器４２を示す図であり、（ａ）は斜視図、（ｂ）は正面図、（ｃ）は側面図である。ここで、図８において、容器本体４２ａ以外は第１の実施形態の保持容器２および水耕栽培装置１０と同一であり、同一の符号を付しているため、説明を省略する。
【００５７】
図８に示すように、容器本体４２ａは、下方に傾斜させて形成した傾斜面であるテーパ部２ｆを有しており、容器本体４２ａの底部は、このテーパ部２ｆの下端を連結して断面Ｖ字状に尖った形状に形成されている。容器本体４２ａの底部（テーパ部２ｆの下端部）には、孔部２ｃが一直線上に形成されており、この孔部２ｃ上に不織布２ｄが載置されている。載置される不織布２ｄは、容器本体４２ａの底部の構造上、断面Ｖ字状をなしており、不織布２ｄは、孔部２ｃと略同幅または同幅以下となるように形成されている。
以上のように、容器本体４２ａの底部を断面Ｖ字状に尖った状態としたことにより、底部やテーパ部２ｆに付着した水をさらに水切りしやすいものとすることができ、植物の湿害による病気の発生を抑制することができる。
【００５８】
次に、本発明の第４の実施形態について説明する。第４の実施形態においては、第１または第２実施形態における容器本体２ａ，３２ａの底部２ｂを網で形成しており、この網上に不織布２ｄを載置している（図示せず）。網目の大きさは、不織布２ｄを載置でき、且つ、根１１ｂが伸長できる程度であれば良く、約１ｃｍ程度としている。この網目が孔部２ｃとして機能し、根１１ｂが下方へ伸長する。このように、底部２ｂを網で形成すれば、テーパ部２ｆにより下方に流した水を、さらに水切りしやすいものとすることができ、植物の湿害による病気の発生を抑制することができる。なお、テーパ部２ｆを網で形成すると、光が差し込んで根１１ｂに当たるため、好ましくない。
【００５９】
次に、本発明の第５の実施形態について説明する。第５の実施形態においては、第３実施形態における容器本体４２ａの底部（テーパ部２ｆの下端部）を網で形成し、この網の幅が不織布２ｄと略同幅または同幅以下となるように形成している。そして、この網上に、不織布２ｄを載置している。網目の大きさは、不織布２ｄを載置でき、且つ、根１１ｂが伸長できる程度であれば良く、約１ｃｍ程度としている。このように、容器本体４２ａの底部を網で形成すれば、テーパ部２ｆにより下方に流した水を、さらに水切りしやすいものとすることができ、植物の湿害による病気の発生を抑制することができる。なお、前述したように、テーパ部２ｆを網で形成すると、光が差し込んで根１１ｂに当たるため、好ましくない。
【００６０】
次に、本発明の第６の実施形態について説明する。図９は、本発明の第６の実施形態における保持容器を示す図であり、（ａ）は断面図、（ｂ）は分解斜視図である。ここで、図９において、第１の実施形態と同じ構成のものについては、同符号を付して説明を省略する。
【００６１】
図９に示すように、第６の実施形態における保持容器５２は、植物を保持するための凹部を有する容器本体５２ａと、保持材としての不織布２ｄと、不織布２ｄを載置する支持部材５２ｋを備える。
【００６２】
容器本体５２ａは、鍔部２ｅから垂下して形成した側壁５２ｉと、この側壁５２ｉから連続して下方に傾斜させて形成したテーパ部２ｆと、を有しており、容器本体５２ａの下部は、このテーパ部２ｆにより下方に向かって垂直断面が下細り形状となるように形成されている。容器本体５２ａの底部には、補強部５２ｐを挟んで、植物の根を下方に通すための開口部５２ｎが２つ形成されている。補強部５２ｐは、容器本体５２ａのテーパ部２ｆに不織布２ｄを載置した支持部材５２ｋを掛け渡す際に、支持部材５２ｋの自重によりテーパ部２ｆがそれぞれ外側に開かないようにするための補強材としての役割を果たすものである。なお、開口部５２ｎの大きさや数は本実施の形態に限定するものではなく、また、テーパ部２ｆが、支持部材５２ｋを掛け渡した際に支持部材５２ｋが落下しないような剛性の高いもので形成されていれば、補強部５２ｐを省略することもできる。
【００６３】
支持部材５２ｋは、２枚の側壁５２ｍと網目状に形成された底板５２ｌとにより断面コ字状に形成されている。本実施の形態では、幅Ｇは約３．５ｃｍ、高さＨが約１．５ｃｍに形成されており、図９（ａ）に示すように、容器本体５２ａのテーパ部２ｆに掛け渡すことが可能となっている。不織布２ｄは、支持部材５２ｋと同幅もしくは同幅以下に形成され、側壁５２ｍによって横ずれしたり落下したりすることが防止される。なお、本実施の形態では、植物の根を下方に通すとともに不織布２ｄに付着した余分な水分が切れやすいように底板５２ｌを網目状に形成したが、これに限らず、複数の孔を形成したり、載置される不織布２ｄが落下しない程度に開口を形成したりしてもよい。また、側壁５２ｍについても網目状のもので形成することもできる。さらに、支持部材５２ｋの短辺側にも不織布２ｄが落下することを防止するための側壁を設けることもできる。
【００６４】
次に、本実施の形態における水耕栽培方法について工程ごとに説明する。
【００６５】
（１）播種工程
不織布２ｄを支持部材５２ｋの底板５２ｌ上に載置し、不織布２ｄ上に植物の種子を撒く。
【００６６】
（２）育苗工程
不織布２ｄ上に種子を有したまま支持部材５２ｋを複数段に間隔を置いて重ね、恒温高湿室である発芽庫に入れる。発芽に最適な温度と湿度環境として発芽および発根を促し、約３日程度かけて植物が所定の大きさになるまで生長させる。種子から発根すると、根は、不織布２ｄに繊維の隙間に進入することとなって苗が不織布２ｄに支持され、不織布２ｄはこの育苗期間においては培地として機能する。また、播種時に不織布２ｄに水を含ませておけば、発芽庫の中では水分保持材としても機能し、潅水の必要はない。根の生育が進むに連れ、根は不織布２ｄを貫通し、底板５２ｌから下方に伸びる。
【００６７】
所定の大きさまで発芽庫で育苗したら、支持部材５２ｋごと中間育苗庫に移動させる。中間育苗庫は、植物が生育するのに最適な温度と湿度で管理されており、不織布２ｄ上で植物が同程度の大きさに生育した支持部材５２ｋを、複数段に間隔を置いて重ねて入れる。本実施の形態では、支持部材５２ｋを用いることにより、第１から第５の実施の形態と比較して不織布２ｄの幅を大きく形成することができることから、幅方向により多くの種子を播種することができる。これにより、種子が発芽して植物が生長していく過程で、植物どうしが互いに支えあって真上に向かって自立する。この中間育苗庫で、支持部材５２ｋを容器本体５２ａに載置した際に、植物の背丈が容器本体５２ａから出るか出ないかの程度（本実施の形態では５ｃｍ程度）になるまで管理する。
【００６８】
（３）装置形成工程
育苗工程により植物が所定の大きさに達したら、支持部材５２ｋを容器本体５２ａの凹部に載置する。すると、テーパ部２ｆどうしの距離と支持部材５２ｋの幅とが同程度のところで、支持部材５２ｋの短手方向の両端部がテーパ部２ｆに当接し、図９（ａ）に示すように、支持部材５２ｋはテーパ部２ｆに掛け渡された状態となり、支持部材５２ｋの底面５２ｌから下方に延びた根は、容器本体５２ａの開口部５２ｎから下方に延伸することとなる。本実施の形態では、図９（ｂ）に示すように、容器本体５２ａの底部を、補強部材５２ｐ以外は開口部５２ｎとなるように形成したことにより、支持部材５２ｋの底面５２ｌから下方に延びる根を、容易に開口部５２ｎから下方に出すことができる。この状態で、容器本体５２ａを樋状容器１の上に設けて二槽構造とする。装置形成後の栽培工程ならびにその後の工程は、上述した方法で行う。
【００６９】
本実施の形態によれば、図９（ａ）に示すように、支持部材５２ｋと容器本体５２ａの底部との間に空間を設けることができる。これにより、不織布２ｄは、常に空気に触れることとなり、植物の株元の水分を低減あるいは乾燥しやすい状態とすることができ、湿害による病気の発生を防止することができる。また、この後の栽培工程において、害虫の発生防止のために植物の上方から散水しても、容器本体５２ａのテーパ部２ｆに付着した水分は、不織布２ｄに触れることなく、テーパ部２ｆに沿って開口部５２ｎから樋状容器１に流れ落ちる。これにより、湿害による病気の発生をさらに防止することができる。
【００７０】
また、本実施の形態によれば、不織布２ｄに播種された種子が発芽して、植物が所定の大きさになるまで、容器本体５２ａを使用することなく支持部材５２ｋ上で生育させることができるので、第１から第５の実施の形態と比べると、発芽庫ならびに中間育苗庫における収納量を増大させることができる。また、中間育苗庫で、植物の背丈が容器本体５２ａから突出する程度に生育してから、支持部材５２ｋを容器本体５２ａに載置することにより、栽培に要する空間の効率化を図ることができ、一定の栽培容積における収穫量を増大させることができる。
【産業上の利用可能性】
【００７１】
本発明は、ベビーリーフを主体とした葉菜類の水耕栽培技術として広く利用することができる。
【図面の簡単な説明】
【００７２】
【図１】本発明の第１の実施形態である水耕栽培装置を示す概要図である。
【図２】保持容器を示す図であり、（ａ）は斜視図、（ｂ）は正面図、（ｃ）は側面図である。
【図３】育苗直後の栽培中であることを示す栽培槽の断面側面図である。
【図４】収穫前の植物を栽培中であることを示す栽培槽の断面側面図である。
【図５】収穫時に保持容器を持ち上げた状況を示す図であり、（ａ）は側面図、（ｂ）は正面図である。
【図６】樋状容器から排出される液を回収することを示す図である。
【図７】本発明の第２の実施形態における保持容器を示す側面図である。
【図８】本発明の第３の実施形態における保持容器を示す図であり、（ａ）は斜視図、（ｂ）は正面図、（ｃ）は側面図である。
【図９】本発明の第６の実施形態における保持容器を示す図であり、（ａ）は断面図、（ｂ）は分解斜視図である。
【符号の説明】
【００７３】
１０  水耕栽培装置
１  樋状容器
１ａ  底部
１ｂ  上端部
２，３２，４２，５２  保持容器
２ａ，３２ａ，４２ａ，５２ａ  容器本体
２ｂ  底部
２ｃ  孔部
２ｄ  不織布
２ｅ  鍔部
２ｆ  テーパ部
２ｇ  突起
２ｈ  孔部
２ｊ  突起
３  栽培槽
４  支持架台
５ａ，５ｂ  潅水チューブ
６  養液等
１１  植物
１１ａ  地上部
１１ｂ  根
２１，２２  樋
２３，２４，２５，２６  矢印
３２ｉ，５２ｉ  側壁
５２ｋ  支持部材
５２ｌ  底板
５２ｍ  側壁
５２ｎ  開口部
５２ｐ  補強部
Ａ  長手方向
Ｂ  幅方向
Ｃ  深さ
Ｄ，Ｅ，Ｇ  幅
Ｆ  距離
Ｈ  高さ
１Ａ，１Ｂ  位置
【図１】
2007151543.tif 000003
【図２】
2007151543.tif 000004
【図３】
2007151543.tif 000005
【図４】
2007151543.tif 000006
【図５】
2007151543.tif 000007
【図６】
2007151543.tif 000008
【図７】
2007151543.tif 000009
【図８】
2007151543.tif 000010
【図９】
2007151543.tif 000011